(57)【要約】      （修正有）【課題】システムの能力を向上したり、加えて／あるいは、各寸法計測測定デバイスと通信して各寸法計測測定デバイスから得た測定値を表示するモードを改善する。【解決手段】リアルタイムの測定値を表示するリモート表示デバイス９１０は、計測パーソナルエリアネットワーク９００内のデバイスとして動作するよう構成される。計測パーソナルエリアネットワーク９００は、寸法計測ユーザインターフェースデバイス９２０及び１以上の寸法計測測定デバイス９３０（例えば、ノギス等）をさらに有する。リモート表示デバイス９１０は、第１のモード（例えば、スレーブモード）又は第２のモード（例えば、独立モード）で動作可能に構成される。【選択図】図９
2017151958.tif 000002
【特許請求の範囲】
【請求項１】
リアルタイム測定値を表示し、計測パーソナルエリアネットワーク内のデバイスとして動作するよう構成されたリモート表示デバイスであって、前記計測パーソナルエリアネットワークは寸法計測ユーザインターフェースデバイス及び１以上の寸法計測測定デバイスを少なくともさらに有し、前記寸法計測ユーザインターフェースデバイスは変位センサ又はポジションセンサを有さず、前記１以上の寸法計測測定デバイスの各々は少なくとも１つの変位センサ又はポジションセンサを有し、前記寸法計測ユーザインターフェースデバイスはユーザインターフェースディスプレイを有し、前記ユーザインターフェースディスプレイは前記１以上の寸法計測測定デバイスから受信したリアルタイムの測定値を表示し、前記ユーザインターフェースディスプレイは少なくとも１つの制御インターフェースを有し、前記制御インターフェースは前記計測パーソナルエリアネットワークに接続された複数のデバイスに制御命令を送信するよう動作可能であり、前記リモート表示デバイスは、
制御部と、
第１のディスプレイと、
ユーザインターフェース部と、
通信部とを具備し、
前記リモート表示デバイスの前記制御部は、前記リモート表示デバイスを少なくとも第１のモードで動作させるよう構成され、前記第１のモードにおいて、前記リモート表示デバイスは、前記寸法計測ユーザインターフェースデバイスから受信した制御命令に応答して、前記１以上の寸法計測測定デバイスから得たリアルタイムの測定値を前記第１のディスプレイに表示するよう構成される
リモート表示デバイス。
【請求項２】
請求項１に記載のリモート表示デバイスであって、
前記リモート表示デバイスの前記制御部は、さらに、前記リモート表示デバイスを少なくとも第２のモードで動作させるよう構成され、前記第２のモードにおいて、前記リモート表示デバイスは、寸法計測ユーザインターフェースデバイスから制御命令を受信することなく、前記１以上の寸法計測測定デバイスから得たリアルタイムの測定値を前記第１のディスプレイに表示するよう構成される
リモート表示デバイス。
【請求項３】
請求項２に記載のリモート表示デバイスであって、
前記リモート表示デバイスの前記制御部は、さらに、寸法計測ユーザインターフェースデバイスを有する計測パーソナルエリアネットワーク内に前記リモート表示デバイスが有るとき、自動的に、前記リモート表示デバイスを前記第１のモードで動作させるよう構成され、
前記リモート表示デバイスの前記制御部は、さらに、１以上の寸法計測測定デバイスを有し寸法計測ユーザインターフェースデバイスを有さない計測パーソナルエリアネットワークに前記リモート表示デバイスが有るとき、自動的に、前記リモート表示デバイスを前記第２のモードで動作させるよう構成される
リモート表示デバイス。
【請求項４】
請求項２に記載のリモート表示デバイスであって、
前記第１のモードにおいて、前記リモート表示デバイスは、前記寸法計測ユーザインターフェースデバイスから受信した前記制御命令に基づき、第１の表示フォーマットアレンジメントオプション一式に従って設定可能であり、
前記第２のモードにおいて、前記リモート表示デバイスは、第２の表示フォーマットアレンジメントオプション一式に従って設定可能であり、前記第１の表示フォーマットアレンジメントオプション一式は前記第２の表示フォーマットアレンジメントオプション一式よりも広範囲である
リモート表示デバイス。
【請求項５】
請求項２に記載のリモート表示デバイスであって、
前記リモート表示デバイスは、変位センサ又はポジションセンサを有さない
リモート表示デバイス。
【請求項６】
請求項２に記載のリモート表示デバイスであって、
前記第１のモードはスレーブモードを有し、前記スレーブモード中、前記リモート表示デバイスは、別のデバイスに制御命令を送信して制御する能力を有さない
リモート表示デバイス。
【請求項７】
請求項２に記載のリモート表示デバイスであって、
少なくとも何れか一方の前記第１又は第２のモード中、前記リモート表示デバイスの前記構成の一部として、前記リアルタイムの測定値の少なくとも一部が前記第１のディスプレイにどのように表示されるかを判断するために、少なくとも１つの表示フォーマットアレンジメントが選択される
リモート表示デバイス。
【請求項８】
請求項７に記載のリモート表示デバイスであって、
前記リアルタイムの測定値が前記第１のディスプレイに表示される寸法計測測定デバイスのデバイスディスプレイを再現するために、前記少なくとも１つの表示フォーマットアレンジメントが自動的に選択される
リモート表示デバイス。
【請求項９】
請求項２に記載のリモート表示デバイスであって、
少なくとも何れか一方の前記第１又は第２のモード中、
前記複数の寸法計測測定デバイスのうちいずれの複数の寸法計測測定デバイスが前記リモート表示デバイスの送信距離内に有るかに基づき、複数の測定デバイスから前記１以上の寸法計測測定デバイスが自動的に選択され、前記送信距離は最大３メートルである
リモート表示デバイス。
【請求項１０】
請求項１に記載のリモート表示デバイスであって、
前記１以上の寸法計測測定デバイスは、複数の寸法計測測定デバイスのうちから選択される
リモート表示デバイス。
【請求項１１】
請求項１０に記載のリモート表示デバイスであって、
前記複数の寸法計測測定デバイスのうち何れの寸法計測測定デバイスが最近アクティブに測定値を取得しているかに基づき、前記１以上の寸法計測測定デバイスのうち１つが自動的に選択される
リモート表示デバイス。
【請求項１２】
請求項１０に記載のリモート表示デバイスであって、
前記複数の寸法計測測定デバイスのうち何れの寸法計測測定デバイスが前記リモート表示デバイスの最も近くに存在するかに基づき、前記１以上の寸法計測測定デバイスのうち１つが自動的に選択される
リモート表示デバイス。
【請求項１３】
請求項１０に記載のリモート表示デバイスであって、
前記寸法計測ユーザインターフェースデバイスの前記ユーザインターフェースディスプレイは、前記複数の寸法計測測定デバイスそれぞれから得たリアルタイムの測定値を表示し、
前記リモート表示デバイスの前記第１のディスプレイは、前記選択された１以上の寸法計測測定デバイスから得たリアルタイムの測定値のみ表示する
リモート表示デバイス。
【請求項１４】
請求項１に記載のリモート表示デバイスであって、
前記第１のディスプレイの最大寸法は、２インチ未満である
リモート表示デバイス。
【請求項１５】
請求項１に記載のリモート表示デバイスであって、
内蔵の電源
をさらに具備するリモート表示デバイス。
【請求項１６】
請求項１に記載のリモート表示デバイスであって、
前記１以上の寸法計測測定デバイスのうち少なくとも１つは、独自のデバイスディスプレイを有し、前記独自のデバイスディスプレイは、前記第１のディスプレイに表示されるリアルタイムの測定値に対応するリアルタイムの測定値を表示する
リモート表示デバイス。
【請求項１７】
請求項１６に記載のリモート表示デバイスであって、
前記デバイスディスプレイを再現した表示フォーマットアレンジメントに基づき、前記リアルタイムの測定値が前記第１のディスプレイに表示される
リモート表示デバイス。
【請求項１８】
請求項１６に記載のリモート表示デバイスであって、
前記デバイスディスプレイの表示フォーマットアレンジメントと異なる表示フォーマットアレンジメントであって、合格／不合格値、計算値又はグラフ値のうち少なくとも１つを有する表示フォーマットアレンジメントに基づき、前記リアルタイムの測定値が前記第１のディスプレイに表示される
リモート表示デバイス。
【請求項１９】
請求項１に記載のリモート表示デバイスであって、
前記リモート表示デバイスは、別のリモート表示デバイスから表示フォーマットアレンジメントを複製する複製機能に基づき、表示フォーマットアレンジメントを設定可能である
リモート表示デバイス。
【請求項２０】
請求項１に記載のリモート表示デバイスであって、
前記１以上の寸法計測測定デバイスから得た前記リアルタイムの測定値は、デジタル値、合格／不合格値、計算値又はグラフ値のうち少なくとも１つとして、前記第１のディスプレイに表示される
リモート表示デバイス。
【請求項２１】
請求項１に記載のリモート表示デバイスであって、
前記リアルタイムの測定値が前記第１のディスプレイ上で表示される方向は、複数の利用可能な表示方向のうちから１つの表示方向が選択されたことに基づき、判断される
リモート表示デバイス。
【請求項２２】
請求項１に記載のリモート表示デバイスであって、
前記１以上の寸法計測測定デバイスは、複数の寸法計測測定デバイスを有する
リモート表示デバイス。
【請求項２３】
請求項１に記載のリモート表示デバイスであって、
前記１以上の寸法計測測定デバイスは、ノギス、マイクロメータ、ゲージ、ダイヤルインジケータ、旋盤又はリニアスケールのうち少なくとも１つを有する
リモート表示デバイス。
【請求項２４】
請求項１に記載のリモート表示デバイスであって、
前記第１のモードは、
ａ）少なくとも２つの寸法計測測定デバイスから得た複数の測定値に基づき数値を計算する計算モード及び
ｂ）少なくとも２つの寸法計測測定デバイスから得た複数の値のグラフを描画するコンビネーション表示モード
のうち少なくとも何れか一方を提供する
リモート表示デバイス。
【請求項２５】
少なくとも１つの変位センサ又はポジションセンサをそれぞれ有する１以上の寸法計測測定デバイスを具備した計測パーソナルエリアネットワークであって、
前記計測パーソナルエリアネットワークは、
ユーザインターフェースディスプレイを有する寸法計測ユーザインターフェースデバイスであって、前記ユーザインターフェースディスプレイは前記１以上の寸法計測測定デバイスから受信したリアルタイムの測定値を表示し、前記ユーザインターフェースディスプレイは少なくとも１つの制御インターフェースを有し、前記制御インターフェースは前記計測パーソナルエリアネットワークに接続された複数のデバイスに制御命令を送信するよう動作可能である、前記寸法計測ユーザインターフェースデバイスと、
リアルタイムの測定値を表示し、前記計測パーソナルエリアネットワーク内のデバイスとして動作するよう構成されたリモート表示デバイスと
を具備し、
前記リモート表示デバイスは、
制御部と、
第１のディスプレイと、
ユーザインターフェース部と、
通信部とを有し、
前記リモート表示デバイスの前記制御部は、前記リモート表示デバイスを少なくとも第１のモードで動作させるよう構成され、前記第１のモードにおいて、前記リモート表示デバイスは、前記寸法計測ユーザインターフェースデバイスから受信した制御命令に応答して、前記１以上の寸法計測測定デバイスから得たリアルタイムの測定値を前記第１のディスプレイに表示するよう構成される
計測パーソナルエリアネットワーク。
【請求項２６】
請求項２５に記載の計測パーソナルエリアネットワークであって、
前記リモート表示デバイスの前記制御部は、さらに、前記リモート表示デバイスを少なくとも第２のモードで動作させるよう構成され、前記第２のモードにおいて、前記リモート表示デバイスは、寸法計測ユーザインターフェースデバイスから制御命令を受信することなく、前記１以上の寸法計測測定デバイスから得たリアルタイムの測定値を前記第１のディスプレイに表示するよう構成される
計測パーソナルエリアネットワーク。
【請求項２７】
リアルタイムの測定値を表示するリモート表示デバイスの動作方法であって、前記リモート表示デバイスは、制御部と、第１のディスプレイと、ユーザインターフェース部と、通信部とを有し、前記リモート表示デバイスは、計測パーソナルエリアネットワーク内のデバイスとして動作するよう構成され、前記計測パーソナルエリアネットワークは１以上の寸法計測測定デバイスをさらに有し、前記寸法計測測定デバイスの各々は少なくとも１つの変位センサ又はポジションセンサを有し、前記動作方法は、
前記計測パーソナルエリアネットワークが寸法計測ユーザインターフェースデバイスを有するかを判断し、前記寸法計測ユーザインターフェースデバイスは、ユーザインターフェースディスプレイを有し、前記ユーザインターフェースディスプレイは前記１以上の寸法計測測定デバイスから受信したリアルタイムの測定値を表示し、前記ユーザインターフェースディスプレイは少なくとも１つの制御インターフェースを有し、前記制御インターフェースは前記計測パーソナルエリアネットワークに接続された複数のデバイスに制御命令を送信するよう動作可能であり、
前記計測パーソナルエリアネットワークが寸法計測ユーザインターフェースデバイスを有すると判断すると、前記リモート表示デバイスを第１のモードで動作させ、前記第１のモードの一部として、前記リモート表示デバイスは、前記寸法計測ユーザインターフェースデバイスから受信した制御命令に応答して、前記１以上の寸法計測測定デバイスから得たリアルタイムの測定値を前記第１のディスプレイに表示し、
前記計測パーソナルエリアネットワークが寸法計測ユーザインターフェースデバイスを有しないと判断すると、前記リモート表示デバイスを第２のモードで動作させ、前記第２のモードの一部として、前記リモート表示デバイスは、寸法計測ユーザインターフェースデバイスから制御命令を受信することなく、１以上の寸法計測測定デバイスから得たリアルタイムの測定値を前記第１のディスプレイに表示する
リモート表示デバイスの動作方法。
【発明の詳細な説明】
【技術分野】
【０００１】
本願は、２０１５年１２月１８日に出願された米国特許出願第１４／９７５，４４９号（発明の名称「マルチモード計測ユーザインターフェースデバイス」）の一部継続出願に基づくものであり、ここに本明細書の一部を構成するものとして当出願の開示を援用する。
【０００２】
本開示は、精密計測に関し、より具体的には、計測パーソナルエリアネットワーク内のデバイスであって、複数の寸法計測測定デバイスから得た測定値を表示するよう構成されたデバイスに関する。
【背景技術】
【０００３】
フライス盤や旋盤等の様々な製造装置には、工作機械やワークピース（加工対象物）の位置を計測するためのリニアスケール又は他の寸法計測測定デバイスが設けられている。例えば、ミツトヨ製ＡＴ１１６又はＡＴ７１５モデルのリニアスケールは、誘導センサを用いて絶対位置を検出し、絶対位置を示す信号を出力可能である。この種のリニアスケールは、ＤＲＯ（デジタル読出、Digital Read Out）システムを介して、複数の位置計測値を通信可能である。典型的なＤＲＯシステムには、計測位置を示すデジタルディスプレイを有するものもある。例えば、ミツトヨ製ＫＡカウンタシステムは、ＤＲＯパッケージの一部として構成され、フライス盤又は旋盤に接続されたリニアスケールの位置を表示可能である。
【０００４】
市販の様々な手持ち式又は携帯型寸法計測測定デバイス（例えば、ノギス、マイクロメータ又はデジタル「ダイヤル」インジケータ）は、デスクトップコンピュータ等の外部デバイスに、データを出力可能である。ＲＳ−２３２Ｃ通信等の有線システムや、Bluetoothを利用した無線システムその他の無線通信技術を介して、データを出力可能である。例えば、ミツトヨ製ＡＢＳデジマチックノギスＣＤ−１５ＣＸモデル等のノギスは、ミツトヨ製Ｕ−ＷＡＶＥ無線データ通信システムを使用して、ミツトヨ製MeasurLinkソフトウェアがインストールされたコンピュータと通信可能である。手持ち式又は携帯型計測ツールに装着された外部送信機ユニットにより、無線接続機能を実現可能である。この種のシステムの例が、特許文献１及び特許文献２に開示される。
【先行技術文献】
【特許文献】
【０００５】
【特許文献１】米国特許第４，９３０，０９６号
【特許文献２】米国特許第６，５０２，０５７号
【発明の概要】
【発明が解決しようとする課題】
【０００６】
操作者にとっての利便性、スピード及び自由度をさらに向上する（例えば、ワークピースの製造時に寸法検査を行う）ため、システムの能力を向上したり、加えて／あるいは、各寸法計測測定デバイスと通信して各寸法計測測定デバイスから得た測定値を表示するモードを改善することが望まれる。
【課題を解決するための手段】
【０００７】
この「課題を解決するための手段」では、以下の「発明を実施するための形態」に詳細に記載された各構想のなかから選択した構想を単純化したものを紹介する。この「課題を解決するための手段」は、「特許請求の範囲」の主題の重要な特徴を特定するためのものではなく、「特許請求の範囲」の範囲を特定するのに用いられるものでもない。
【０００８】
本発明の一形態に係るリアルタイムの測定値を表示するリモート表示デバイスは、計測パーソナルエリアネットワーク内のデバイスとして動作するよう構成される。計測パーソナルエリアネットワークは、寸法計測ユーザインターフェースデバイス及び１以上の寸法計測測定デバイス（例えば、ノギス、マイクロメータ、ゲージ、ダイヤルインジケータ、旋盤、リニアスケール等）をさらに有する。各種実装形態において、測定デバイスの各々は、変位センサ又はポジションセンサのうち少なくとも何れか一方を有してもよい。寸法計測ユーザインターフェースデバイス及びリモート表示デバイスは、変位センサ又はポジションセンサを有さなくてもよい。寸法計測ユーザインターフェースデバイスは、ユーザインターフェースディスプレイを有し、ユーザインターフェースディスプレイは１以上の寸法計測測定デバイスから受信したリアルタイムの測定値を表示し、ユーザインターフェースディスプレイは少なくとも１つの制御インターフェースを有し、制御インターフェースは計測パーソナルエリアネットワークに接続された複数のデバイスに制御命令を送信するよう動作可能である。
【０００９】
本発明の一形態に係るリモート表示デバイスは、制御部と、第１のディスプレイと、ユーザインターフェース部と、通信部とを有する。各種実装形態において、制御部は、リモート表示デバイスを、リモート表示デバイスは、第１のモード（例えば、スレーブモード）又は第２のモード（例えば、独立モード）で動作可能に構成する。スレーブモードにおいて、リモート表示デバイスは、寸法計測ユーザインターフェースデバイスから受信した制御命令に応答して、１以上の測定デバイスから得たリアルタイムの測定値を表示するよう構成される。独立モードにおいて、リモート表示デバイスは、寸法計測ユーザインターフェースデバイスから制御命令を受信することなく、１以上の測定デバイスから得たリアルタイムの測定値を表示するよう設定可能である。
【発明の効果】
【００１０】
本開示によれば、システムの能力を向上したり、加えて／あるいは、各寸法計測測定デバイスと通信して各寸法計測測定デバイスから得た測定値を表示するモードを改善することができる。
【図面の簡単な説明】
【００１１】
【図１】マルチモード寸法計測ユーザインターフェースデバイスを示すブロック図である。
【図２】計測モードで動作するマルチモード寸法計測ユーザインターフェースデバイスを示す模式図である。
【図３】図２のマルチモード寸法計測ユーザインターフェースデバイスを示す模式図であり、付加的な特徴を示す。
【図４】コンビネーションモードで動作するマルチモード寸法計測ユーザインターフェースデバイスを示す模式図である。
【図５】計算モードで動作するマルチモード寸法計測ユーザインターフェースデバイスを示す模式図である。
【図６】モデルインタラクションモードで動作するマルチモード寸法計測ユーザインターフェースデバイスを示す模式図である。
【図７】セットアップ制御モードで動作するマルチモード寸法計測ユーザインターフェースデバイスを示す模式図である。
【図８】リモート表示デバイスを示すブロック図である。
【図９】計測パーソナルエリアネットワークを示す図である。
【図１０Ａ】リモート表示デバイスにリアルタイムの測定値を表示する測定デバイスを選択する動作を示す図である。
【図１０Ｂ】リモート表示デバイスにリアルタイムの測定値を表示する測定デバイスを選択する動作を示す図である。
【図１０Ｃ】リモート表示デバイスにリアルタイムの測定値を表示する測定デバイスを選択する動作を示す図である。
【図１１】リモート表示デバイスの設定可能表示フォーマットアレンジメントのユーザインターフェースを示す図である。
【図１２】リモート表示デバイスの各種表示フォーマットアレンジメントを示す図である。
【図１３】異なる複数の表示フォーマットアレンジメントを示すユーザインターフェースの図であって、異なる複数の表示フォーマットアレンジメントは、計測パーソナルエリアネットワーク内の異なる複数の測定デバイスに対して、それぞれ選択されたものである。
【図１４】リモート表示デバイスの動作を示すルーチンの一実装例を示すフローチャートである。
【発明を実施するための形態】
【００１２】
図１は、マルチモード寸法計測ユーザインターフェースデバイス１００を示すブロック図である。マルチモード寸法計測ユーザインターフェースデバイス１００は、信号処理制御部１０１と、ユーザ入力インターフェース部１０２と、通信部１０３とを有する。
【００１３】
信号処理制御部１０１は、ユーザ入力インターフェース部１０２及び通信部１０３を用いて、計測モード１１０と、コンビネーションモード１２０と、計算モード１３０と、モデルインタラクションモード１４０と、セットアップ制御モード１５０とを提供するように、マルチモード計測ユーザインターフェースデバイス１００の動作を制御する。信号処理制御部１０１は、メモリ１６０と、プロセッサ１７０とをさらに有する。計測モード１１０は、計測モード処理１１１を有する。コンビネーションモード１２０は、コンビネーションモード処理１２１を有する。計算モード１３０は、計算モード処理１３１を有する。モデルインタラクションモード１４０は、モデルインタラクションモード処理１４１を有する。セットアップ制御モード１５０は、セットアップ制御モード処理１５１を有する。
【００１４】
ユーザ入力インターフェース部１０２は、計測モード表示１１２と、コンビネーションモード表示１２２と、計算モード表示１３２と、モデルインタラクションモード表示１４２と、セットアップ制御モード表示１５２とを有する。計測モード表示１１２は、計測値表示及び選択エレメント１１３を有する。コンビネーションモード表示１２２は、コンビネーション表示及び選択エレメント１２３を有する。計算モード表示１３２は、計算値表示及び選択エレメント１３３を有する。モデルインタラクションモード表示１４２は、モデルインタラクション表示及び選択エレメント１４３を有する。セットアップ制御モード表示１５２は、セットアップ制御表示及び選択エレメント１５３を有する。
【００１５】
通信部１０３は、様々な無線通信手段（例えば、Bluetooth、Wi−Fi及びクラウドベースのデータインフラストラクチャ）により、複数種類の寸法計測測定デバイスと通信可能に構成すればよい。各種の実装形態において、このような通信は、計測パーソナルエリアネットワークの一部として行えばよい。なお、寸法計測ユーザインターフェースデバイス１００と、１以上の測定デバイスとは、計測パーソナルエリアネットワーク内の複数のデバイスを構成する。その際、図２乃至図７に概略を示すように、マルチモード寸法計測ユーザインターフェースデバイス１００は、複数のモードで、複数の計測デバイスから得たデータを表示し関係づける、利便性が高く多目的な手段を提供可能である。
【００１６】
図２は、計測モード（例えば、計測モード１１０）で動作するマルチモード寸法計測ユーザインターフェースデバイス２００を示す模式図である。計測モード（例えば、計測モード１１０）は、計測モード処理（例えば、計測モード処理１１１）を有する。マルチモード寸法計測ユーザインターフェースデバイス２００は、マルチモード寸法計測ユーザインターフェースデバイス１００と同様又は同一である。マルチモード寸法計測ユーザインターフェースデバイス２００は、信号処理制御部２０１と、ユーザ入力インターフェース部２０２と、通信部２０３とを有する。
【００１７】
ユーザ入力インターフェース部２０２は、計測モード表示２１２を有する。計測モード表示２１２は、計測値表示及び選択エレメント２１３を有する。
【００１８】
計測モード１１０は、ユーザ入力インターフェース部２０２に、複数の寸法計測測定デバイスから得た複数の計測値を表示する。より具体的には、計測モード表示２１２は、複数種類の測定デバイス（例えば、旋盤、ノギス、マイクロメータその他の測定デバイス）から得た複数の計測値を表示する。図２に示すように、計測値表示及び選択エレメント２１３は、旋盤Ｘの計測値表示及び選択エレメント２１３Ａと、旋盤Ｙの計測値表示及び選択エレメント２１３Ｂと、ノギスの計測値表示及び選択エレメント２１３ｃと、マイクロメータの計測値表示及び選択エレメント２１３ｄとを有する。各計測値表示及び選択エレメントは、それぞれ、各測定デバイスから得た計測値を表示する。旋盤Ｘの計測値表示及び選択エレメント２１３Ａと、旋盤Ｙの計測値表示及び選択エレメント２１３Ｂと、ノギスの計測値表示及び選択エレメント２１３ｃと、マイクロメータの計測値表示及び選択エレメント２１３ｄとは、それぞれ、ゼロセット選択エレメント２１４ａ、２１４ｂ、２１４ｃ、２１４ｄを有する。ゼロセット選択エレメント２１４ａ、２１４ｂ、２１４ｃ、２１４ｄは、各計測値をゼロにセットする。ゼロセット選択エレメントは、例えば、ユーザにとって、旋盤ツールで切断すべき相対位置を決めるための補助となり得る。
【００１９】
別の実施形態において、マルチモード寸法計測ユーザインターフェースデバイス２００は、例えば、タッチ画面を有するタブレットデバイスでもよい。別の実施形態において、携帯型のタッチ画面でもよく、通信部２０３は無線通信（例えば、Bluetooth技術）可能でもよい。これにより、仕事環境周辺で移動可能な、利便性が高いユーザインターフェースとなり得る。
【００２０】
図３は、図２のマルチモード寸法計測ユーザインターフェースデバイス２００を示す模式図であり、付加的な特徴を示す。図３に示すように、マルチモード寸法計測ユーザインターフェースデバイス２００は、インジケータの計測値表示及び選択エレメント２１３ｅと、公差範囲表示エレメント２１３ｆとを、付加的に有する。インジケータの計測値表示及び選択エレメント２１３ｅは、インジケータで得られた計測値をアナログ表示するようなアナログダイヤルインジケータの構成に従った表示を提供する。公差範囲表示エレメント２１３ｆは、計測値が特定の公差以内か否かを示す、すなわち、「合格／不合格（Go／No Go）」検査ツールの役割を持つ。図３に示すように、公差範囲表示エレメント２１３ｆには、インジケータの計測値表示及び選択エレメント２１３ｅと同じ値のインジケータの信号が入力される。公差範囲表示エレメント２１３ｆに示すように、計測値＝０．９００ｍｍは、丸印中のチェックマーク（「合格」を示す）に示すように、公差範囲＝１．００ｍｍ＋／−０．２０ｍｍ以内である。別の実施形態において、チェックマークは、緑色の丸印中に表示してもよい。計測値が公差範囲外の場合、公差範囲表示エレメント２１３ｆは、赤色の丸印中にバツ印（「不合格」を示す）を表示してもよい。勿論、マルチモード寸法計測ユーザインターフェースデバイス２００は、他のタイプの「合格／不合格」検査ツールをカスタマイズにより提供してもよい。例えば、ステップ高さを測定するため、２個のインジケータを用いてもよい。同様の公差範囲表示エレメントを用いて、ステップ高さの特定の公差を表示してもよい。
【００２１】
図４は、コンビネーションモード（例えば、コンビネーションモード１２０）で動作するマルチモード寸法計測ユーザインターフェースデバイス４００を示す模式図である。コンビネーションモード（例えば、コンビネーションモード１２０）は、コンビネーションモード処理（例えば、コンビネーションモード処理１２１）を有する。マルチモード寸法計測ユーザインターフェースデバイス４００は、マルチモード寸法計測ユーザインターフェースデバイス１００と同様又は同一である。マルチモード寸法計測ユーザインターフェースデバイス４００は、信号処理制御部４０１と、ユーザ入力インターフェース部４０２と、通信部４０３とを有する。
【００２２】
ユーザ入力インターフェース部４０２は、コンビネーションモード表示４２２を有する。コンビネーションモード表示４２２は、コンビネーション表示及び選択エレメント４２３を有する。コンビネーション表示及び選択エレメント４２３は、旋盤Ｙの表示及び選択エレメント４２３ａと、ノギスの表示及び選択エレメント４２３ｂと、インジケータの表示及び選択エレメント４２３ｃと、プロット表示エレメント４２３ｄとを有する。
【００２３】
コンビネーションモードは、２個の測定デバイスから得た複数の値のグラフを描画する。２個の測定デバイスは、表示及び選択エレメント４２３ａ〜４２３ｃにより選択すればよい。より具体的には、プロット表示エレメント４２３ｄは、旋盤Ｙの複数の位置に対応する複数のインジケータ値のグラフを描画する。ユーザは、ワークピースに係合する位置でインジケータを旋盤のキャリッジに装着し、旋盤のキャリッジを動かせばよい。その間、マルチモード寸法計測ユーザインターフェースデバイス４００は、旋盤Ｙの信号及びインジケータの信号を通信部４０３を介して受信し、そして、各信号を一連の座標４２４としてプロット表示エレメント４２３ｄに表示してもよい。
【００２４】
別の実施形態において、コンビネーションモードは、曲線又は直線照合を行ってもよい。例えば、プロット表示エレメント４２３ｄに示すように、一連の座標４２４に照合した曲線４２５を表示してもよい。照合曲線４２５は、特性として丸みを帯びたワークピースの直径を判断するのに有用と考えられる。プロット表示エレメント４２３ｄは、直径＝１５．３３７５ｍｍを示す。
【００２５】
図５は、計算モード（例えば、計算モード１３０）で動作するマルチモード寸法計測ユーザインターフェースデバイス５００を示す模式図である。計算モード（例えば、計算モード１３０）は、計算モード処理（例えば、計算モード処理１３１）を有する。マルチモード寸法計測ユーザインターフェースデバイス５００は、マルチモード寸法計測ユーザインターフェースデバイス１００と同様又は同一である。マルチモード寸法計測ユーザインターフェースデバイス５００は、信号処理制御部５０１と、ユーザ入力インターフェース部５０２と、通信部５０３とを有する。
【００２６】
ユーザ入力インターフェース部５０２は、計算モード表示５３２を有する。計算モード表示５３２は、計算値表示及び選択エレメント５３３を有する。計算値表示及び選択エレメント５３３は、第１のインジケータ計算値表示及び選択エレメント５３３ａと、第２のインジケータ計算値表示及び選択エレメント５３３ｂと、平均計算値表示及び選択エレメント５３３ｃと、計算値表示及び選択エレメント５３３ｄとを有する。第１のインジケータ計算値表示及び選択エレメント５３３ａと、第２のインジケータ計算値表示及び選択エレメント５３３ｂと、平均計算値表示及び選択エレメント５３３ｃとは、それぞれ、数値入力ボタン５３４ａ、５３４ｂ、５３４ｃを有する。
【００２７】
ユーザは、計算値表示及び選択エレメント５３３ｄを用いて、数式を作ることができる。計算値表示及び選択エレメント５３３ｄは、ユーザが数値入力ボタン５３４ａ、５３４ｂ、５３４ｃを用いて選択した数値を入力することができる。例えば、ユーザは、平均値を求めたい第１のインジケータ計算値表示及び選択エレメント５３３ａと第２のインジケータ計算値表示及び選択エレメント５３３ｂとを選択すればよい。数値入力ボタン５３４ａを選択すると、計算値表示及び選択エレメント５３３ｄに、数値「［インジケータ１］」が表示される。数値「［インジケータ１］」は、第１のインジケータ計算値表示及び選択エレメント５３３ａに入力された、第１の電子インジケータから得た数値を示す。数値入力ボタン５３４ｂを選択すると、計算値表示及び選択エレメント５３３ｄに、数値「［インジケータ２］」が表示される。数値「［インジケータ２］」は、第２のインジケータ計算値表示及び選択エレメント５３３ｂに入力された、第２の電子インジケータから得た数値を示す。次いで、平均の計算の数式及び計算結果を、例えば、平均計算値表示及び選択エレメント５３３ｃに表示することができる。この計算結果は、第１のインジケータ計算値表示及び選択エレメント５３３ａの数値や第２のインジケータ計算値表示及び選択エレメント５３３ｂの数値と同様のデータ源（仮想的ではあるが）としても用いることができる。
【００２８】
図６は、モデルインタラクションモード（例えば、モデルインタラクションモード１４０）で動作するマルチモード寸法計測ユーザインターフェースデバイス６００を示す模式図である。モデルインタラクションモード（例えば、モデルインタラクションモード１４０）は、モデルインタラクションモード処理（例えば、モデルインタラクションモード処理１４１）を有する。マルチモード寸法計測ユーザインターフェースデバイス６００は、マルチモード寸法計測ユーザインターフェースデバイス１００と同様又は同一である。マルチモード寸法計測ユーザインターフェースデバイス６００は、信号処理制御部６０１と、ユーザ入力インターフェース部６０２と、通信部６０３とを有する。
【００２９】
ユーザ入力インターフェース部６０２は、モデルインタラクションモード表示６４２を有する。モデルインタラクションモード表示６４２は、モデルインタラクション表示及び選択エレメント６４３を有する。モデルインタラクション表示及び選択エレメント６４３は、モデル表示及び選択エレメント６４３ａを有する。モデル表示及び選択エレメント６４３ａは、ワークピースのモデルを入力することができる。別の実施形態において、モデルは、ワークピースの２次元図や、ＣＡＤ（Computer Aided Design）モデルとしてもよい。ユーザは、モデルに注釈を付加することができる。注釈の例として、「公差内の数値」６４４との注記や、通信部６０３から入力された計測値から実際に得た数値が挙げられる。注釈は、例えば、タッチ画面のキーパッドや音声入力により付加すればよい。
【００３０】
図７は、セットアップ制御モード（例えば、セットアップ制御モード１５０）で動作するマルチモード寸法計測ユーザインターフェースデバイス７００を示す模式図である。セットアップ制御モード（例えば、セットアップ制御モード１５０）は、セットアップ制御モード処理（例えば、セットアップ制御モード処理１５１）を有する。マルチモード寸法計測ユーザインターフェースデバイス７００は、マルチモード寸法計測ユーザインターフェースデバイス１００と同様又は同一である。マルチモード寸法計測ユーザインターフェースデバイス７００は、信号処理制御部７０１と、ユーザ入力インターフェース部７０２と、通信部 ７０３とを有する。
【００３１】
ユーザ入力インターフェース部７０２は、セットアップ制御モード表示７５２を有する。セットアップ制御モード表示７５２は、セットアップ制御表示及び選択エレメント７５３を有する。セットアップ制御表示及び選択エレメント７５３は、モード選択エレメント７５３ａと、計測デバイス選択エレメント７５３ｂとを有する。モード選択エレメント７５３ａは、マルチモード計測ユーザインターフェースデバイス７００が動作するモード（例えば、計測モード１１０、コンビネーションモード１２０、計算モード１３０又はモデルインタラクションモード１４０）を選択するのに用いることできる。図７に示す実施形態によれば、左又は右へのスワイプジェスチャに応じて、選択可能な複数のモード間をスクロールするようにすれば、セットアップ制御モード表示７５２の全画面をモード選択エレメント７５３ａとして使用することができる。勿論、これは例示に過ぎず限定するものでは無く、モード選択エレメント７５３ａに有用となり得る別の選択構造は多数考えられる。例えば、ドロップダウンメニューやリストボックスである。測定デバイス選択エレメント７５３ｂは、１以上の測定デバイスを選択するのに用いてもよい。選択された１以上の計測ツールの計測値データが、通信部７０３から入力される。別の実施形態において、測定デバイス選択エレメント７５３ｂは、「デバイス」マークが付いたエリアを有してもよい。「デバイス」マークがあるときは、デバイス選択メニュー７５４がユーザに提示される。デバイス選択メニュー７５４は、マルチモード寸法計測ユーザインターフェースデバイス７００に入力可能な複数の測定デバイスを示す。
【００３２】
図８は、リモート表示デバイス８００を示すブロック図である。詳細は図９を参照して後述するが、リモート表示デバイス８００は、計測パーソナルエリアネットワーク内のデバイスとして動作するよう構成してもよい。計測パーソナルエリアネットワークは、他にも、寸法計測ユーザインターフェースデバイスと、複数の寸法計測測定デバイス（例えば、デジタルノギス、デジタル「ダイヤル」ゲージ、ハイトゲージ、マイクロメータ、インジケータ等）とを有してもよい。リモート表示デバイス８００が計測パーソナルエリアネットワーク内で動作するとき、リモート表示デバイス８００は、上記複数の測定デバイスのうち１以上の測定デバイスから得たリアルタイムの測定値を表示してもよい。図８に示すように、リモート表示デバイス８００は、メモリ部８１５、制御部８２０、表示部８２５、ユーザインターフェース部８３０、電源部８４０及び通信部８４５を有する。リモート表示デバイス８００の各部は、１以上の電力及び信号バス接続部により、又は、個別専用の各接続部により、相互接続すればよい。各種信号の相互接続は、無線及び／又は光学的手段等により行えばよい。
【００３３】
メモリ部８１５は、記録媒体を有する。記録媒体は、各種オペレーティングインストラクション又はルーチン、データ等を保持するのに用いてもよい。各種実装例において、メモリ部８１５は、ＲＯＭ及び／又はＲＡＭメモリを有してもよい。メモリ部８１５は、制御部８２０と一体的であってよい、謂わば、不可分であってよい。制御部８２０は、リモート表示デバイス８００の全般的な動作を制御し、出力を表示部８２５に供給する。詳細は図９を参照して後述するが、各種実装形態において、制御部８２０は、少なくとも第１のモード（例えば、スレーブモード）又は第２のモード（例えば、独立モード）の一方でリモート表示デバイス８００を動作させてもよい。スレーブモードにおいて、リモート表示デバイス８００は、寸法計測ユーザインターフェースデバイスから通信部８４５を介して（例えば、無線で）受信した制御命令に応答して、１以上の測定デバイスから得たリアルタイムの測定値を表示する。独立モードにおいて、リモート表示デバイス８００は、寸法計測ユーザインターフェースデバイスからの制御命令を受信することなく、１以上の測定デバイスから得たリアルタイムの測定値を表示する。
【００３４】
ユーザインターフェース部８３０は、リモート表示デバイス８００の動作をユーザに制御させる（例えば、タッチ画面、制御ボタン等）。実装形態によっては、ユーザによる入力は、さらに、オプションの音声認識部（図示せず）を介して供給してもよい。音声認識部（図示せず）は、マイクと、対応する信号を制御部８２０に供給可能な回路を有すればよい。音声コマンドを記録及び処理する技術は、米国特許第８，６７６，９０号及び第８，９７８，２６３号に詳細に記載されており、ここに本明細書の一部を構成するものとして本特許の開示を援用する。
【００３５】
各種実装形態において、電源部８４０は、リモート表示デバイス８００が有する他の各部位を動作させるための電力を供給する内蔵の電源を有してもよい。通信部８４５は、適当な信号調整及び／又はインターフェースプロトコル回路と、所望のコネクタ構成（１又は複数）を有してもよい。これにより、計測パーソナルエリアネットワーク内の他の各デバイスと、リモート表示デバイス８００との間のインターフェースとなる。通信部８４５が有する各部位は、制御部８２０と一体的であってよい、謂わば、不可分であってよい。通信部８４５は、有線又は無線の送受信部をさらに有してもよい。送受信部は、リモート表示デバイス８００と組み合わせて使用可能な他の各デバイスとの間で、情報を送受信するのに用いられる。このようなデバイスは、リモート表示デバイス８００がリモートで生成した各種プログラムや各種命令等を供給してもよい。各種プログラムや各種命令等は、制御部８２０による制御の下、通信部８４５を介してダウンロードしたり実行可能であったりしてもよい。
【００３６】
図９は、計測パーソナルエリアネットワーク（metrology personal area network （ＭＰＡＮ））９００を示す図である。図９に示すように、計測パーソナルエリアネットワーク９００は、リモート表示デバイス９１０、寸法計測ユーザインターフェースデバイス９２０及び複数の寸法計測測定デバイス９３０を有する。各種実装形態において、リモート表示デバイス９１０は、図８のリモート表示デバイス８００と同様又は同一でよい。寸法計測ユーザインターフェースデバイス９２０は、図１乃至７を参照して上述した１以上のマルチモード寸法計測ユーザインターフェースデバイスと同様又は同一でよい。リモート表示デバイス９１０は、第１のディスプレイ９１２を有してもよい。寸法計測ユーザインターフェースデバイス９２０は、ユーザインターフェースディスプレイ９２２を有してもよい。各測定デバイス９３０は、独自のデバイスディスプレイを有してもよい。
【００３７】
各種実装形態において、リモート表示デバイス９１０のサイズ及び能力には、制限がある場合がある。例えば、第１のディスプレイ９１２（例えば、外周に外枠９１４を有する場合がある）は、比較的小さいことがある（例えば、直径２インチ以下程度）。ベース部材９１６は、リモート表示デバイス９１０を直立したまま保つ必要がある場合もある。加えて／あるいは、ベース部材９１６は、通信用の入力ポート又は他の各種機構、及び／又は、他の各種の物理的な支持構造等の取り付け機構を有する場合もある。各種ボタン９１８（例えば、マニュアル制御ボタン等）が設けられる場合もある（例えば、ディスプレイ９１２上のユーザインターフェースに表示される各種オプションを切り替える又はスクロールする及び／又は選択するためのボタン。例えば、異なる測定デバイスの何れか、及び／又は、異なる表示フォーマットアレンジメントの何れかを選択するためのボタン等）。
【００３８】
リモート表示デバイス９１０は、計測パーソナルエリアネットワーク９００内のデバイスとして動作し、リアルタイムの測定値（例えば、１以上の寸法計測測定デバイス９３０から取得した値）をディスプレイ９１２に表示するよう構成される。測定デバイス９３０−１乃至９３０−Ｎは、それぞれ、少なくとも１つの変位センサを有する。各種実装形態において、測定デバイス９３０−１乃至９３０−Ｎは、各種のデバイスでよい（例えば、ノギス、マイクロメータ、ゲージ、ダイヤルインジケータ、旋盤、リニアスケール等）。図９に示すように、測定デバイス９３０−１、９３０−２、９３０−３及び９３０−Ｎは、それぞれ、「デバイス１」、「デバイス２」、「デバイス３」及び「デバイスＮ」と示す。当然ながら、各種実装形態において、「デバイスＮ」の表記は、計測パーソナルエリアネットワーク９００にさらに別の測定デバイス９３０が含まれてもよいことを意味する（例えば、「デバイス４」、「デバイス５」等）。
【００３９】
詳細は図１０乃至１３を参照して後述するが、リアルタイムの測定値は、リモート表示デバイス９１０のディスプレイ９１２に、各種の表示フォーマットアレンジメント（例えば、場合によっては、デジタル値、合格／不合格値、計算値、グラフ表示等を有する）で表示すればよい。表示フォーマットアレンジメントの一例において、ディスプレイ９１２は、測定値９．０（例えば、「デバイス１」から得た測定データに対応する）を示す。ディスプレイ９１２の表示フォーマットアレンジメントの具体例は、図１２の表示フォーマットアレンジメント１２４０を参照して後で詳述する。各種実装形態において、サイズ、場所、方向、色、単位等に関して、表示フォーマットアレンジメントを変更及び／又はカスタマイズしてもよい。各種実装形態において、特定の表示フォーマットアレンジメントにおいては、ディスプレイに少なくとも１つの番号又は文字（少なくとも１つの測定デバイス９３０が測定したワークピースを表す）を表示してもよい。
【００４０】
実装形態によっては、少なくとも１つの表示フォーマットアレンジメントにおいて、少なくとも１つのビジュアルインジケータ（例えば、測定特性として数値表記でないインジケータを意味する）を表示してもよい。一例は、ディスプレイの周囲を「回転」するポインタ（例えば、詳細は後述するが、図１２の表示フォーマットアレンジメント１２３０）である。実装形態によっては、少なくとも１つの表示フォーマットアレンジメントにおいて、ユーザが変更した機能表示（例えば、「寸法＞３mmなら、ＮＧ」又は「出力＝３．１４１５９×寸法」等）を表示してもよい。実装形態によっては、少なくとも１つの表示フォーマットアレンジメントにおいて、測定値をグラフィカル又は「疑似アナログ」に表示してもよい（例えば、詳細は図１２の表示フォーマットアレンジメント１２２０を参照して後述する）。実装形態によっては、少なくとも１つの表示フォーマットアレンジメントにおいて、１以上の測定デバイス９３０から得たワークピースの複数の測定値を統計的に表示してもよい（例えば、詳細は図１２の表示フォーマットアレンジメント１２８０を参照して後述する）。
【００４１】
実装形態によっては、少なくとも１つの表示フォーマットアレンジメントにおいて、計算モード又はコンビネーション表示モードのうち少なくとも１つを利用してもよい（図１乃至７を参照して説明したような）。例えば、計算モードにおいて、少なくとも２つの測定デバイス９３０から得た各測定値に基づき、数値を計算すればよい。コンビネーション表示モードにおいて、少なくとも２つの測定デバイス９３０から得た各数値のグラフを描画すればよい。実装形態によっては、少なくとも１つの表示フォーマットアレンジメントにおいて、測定デバイス９３０のデバイスディスプレイを正確に反映及び／又は再現して（模して）もよい（例えば、画面の形状、画素特性等の観点から）。実装形態によっては、測定デバイス９３０の内部的特性をダウンロードしてもよい。あるいは、識別子をダウンロードして、対応する表示フォーマットアレンジメントを呼び出したり、加えて／あるいは、特定の表示フォーマットアレンジメントオプション及び表示フォーマットアレンジメントで表示する他の特性を供給したり起動及び／又は解除してもよい。実装形態によっては、測定デバイスのデバイスディスプレイとは異なる表示フォーマットアレンジメントとしてもよい（例えば、「合格／不合格」値、計算値、グラフ表示等を有する）。実装形態によっては、リモート表示デバイスは、別のリモート表示デバイスから表示フォーマットアレンジメントを複製する複製機能に基づき、表示フォーマットアレンジメントを設定してもよい。
【００４２】
上述のように、各種実装形態において、リモート表示デバイス９１０は、少なくとも第１のモード（例えば、スレーブモード）又は第２のモード（例えば、独立モード）の一方で動作する。スレーブモードにおいて、リモート表示デバイス９１０は、寸法計測ユーザインターフェースデバイス９２０から受信した制御命令に応答して、リモート表示デバイス９１０のディスプレイ９１２に、１以上の測定デバイス９３０から得たリアルタイムの測定値を表示する。独立モードにおいて、リモート表示デバイス９１０は、寸法計測ユーザインターフェースデバイス９２０からの制御命令を受信することなく（例えば、寸法計測ユーザインターフェースデバイス９２０が利用不可、あるいは、計測パーソナルエリアネットワーク９００内に存在しない等の場合）、ディスプレイ９１２に、１以上の測定デバイス９３０から得たリアルタイムの測定値を表示する。
【００４３】
各種実装形態において、リアルタイムの測定値を表示する１以上の測定デバイス９３０は、各種の要因に従って、複数の利用可能な測定デバイス９３０一式の中から、自動的に選択すればよい。例えば、選択した送信距離（例えば、３メートル以内等）以内に存在する測定デバイスがどれか、あるいは、リモート表示デバイス９１０の最も近くに存在する測定デバイスがどれかに応じて、１以上の測定デバイス９３０を自動的に選択すればよい。別の例として、最近最もアクティブに測定値を取得している測定デバイスがどれかに応じて、測定デバイス９３０を自動的に選択すればよい。
【００４４】
各種実装形態において、寸法計測ユーザインターフェースデバイス９２０は、ユーザインターフェースディスプレイ９２２を有してもよい。場合によっては、リモート表示デバイス９１０にリアルタイムの測定値を表示するのに加えて、ユーザインターフェースディスプレイ９２２は、複数の測定デバイス９３０から得たリアルタイムの測定値を表示してもよい。各種実装形態において、各測定デバイス９３０は、測定値を生成する変位センサ又はポジションセンサを有してもよい。しかしながら、寸法計測ユーザインターフェースデバイス９２０及びリモート表示デバイス９１０は、それ自体、変位センサ又はポジションセンサを何ら有しなくてもよい。図９の例において、ユーザインターフェースディスプレイ９２２は、表示エリア９２２−１、９２２−２、９２２−３及び９２２−Ｎに、それぞれ、４つの選択した測定デバイス９３０−１、９３０−２、９３０−３及び９３０−Ｎから得たリアルタイムの測定値９２３−１、９２３−２、９２３−３及び９２３−Ｎを数値として表示する。各表示エリア９２２−１、９２２−２、９２２−３及び９２２−Ｎは、それぞれ、ゼロセット選択エレメント９２５−１、９２５−２、９２５−３及び９２５−Ｎをさらに有する。ゼロセット選択エレメントは、各計測値をゼロにセットする。ゼロセット選択エレメントは、例えば、ユーザにとって、旋盤ツールで切断すべき相対位置を決めるための補助となり得る。寸法計測ユーザインターフェースデバイス９２０は、少なくとも１つの制御インターフェースをさらに有する。制御インターフェースは、リモート表示デバイス９１０、各測定デバイス９３０及び／又は計測パーソナルエリアネットワーク９００に接続された他の各種デバイスに、各種制御命令を送信するよう動作可能である。
【００４５】
各種実装形態において、各測定デバイス９３０は、寸法計測ユーザインターフェースデバイス９２０に、リアルタイム測定データ（例えば、リアルタイムの測定値を有する及び／又は対応する）を送信してもよい。その後、寸法計測ユーザインターフェースデバイス９２０は、少なくとも、リモート表示デバイス９１０に、少なくとも一部の測定デバイスから得た測定データを送信してもよい。リモート表示デバイス９１０は、さらに／又は、各測定デバイス９３０からリモート表示デバイス９１０に直接送信された測定データを、受信してもよい。より具体的には、測定デバイス９３０−１乃至９３０−Ｎは、通信リンク９６０−１乃至９６０−Ｎ（例えば、無線リンク）を利用して、リアルタイム測定データを、寸法計測ユーザインターフェースデバイス９２０に送信すればよい。加えて／あるいは、測定デバイス９３０−１乃至９３０−Ｎは、通信リンク９７０−１乃至９７０−Ｎ（例えば、無線リンク）を利用して、リアルタイム測定データを、リモート表示デバイス９１０に送信すればよい。寸法計測ユーザインターフェースデバイス９２０は、通信リンク９５０（例えば、無線リンク）を利用して、各種制御命令、リアルタイム測定データ等を、リモート表示デバイス９１０に送信すればよい。さらに、リモート表示デバイス９１０は、通信リンク９５０を利用して、寸法計測ユーザインターフェースデバイス９２０と通信（例えば、命令を認証する、ステータス又は他のリクエストに応答する、データを送信する等）すればよい。さらに、寸法計測ユーザインターフェースデバイス９２０は、通信リンク９６０−１乃至９６０−Ｎを利用して、測定デバイス９３０−１乃至９３０−Ｎそれぞれに、各種制御命令を送信すればよい。各種実装形態において、リモート表示デバイス９１０の能力には、制限がある場合がある（例えば、計測パーソナルエリアネットワーク９００内の他の各デバイスに各種制御命令を送信する能力を有しない場合がある等）。
【００４６】
各種実装形態において、計測パーソナルエリアネットワーク９００が寸法計測ユーザインターフェースデバイス９２０を有するとき、リモート表示デバイス９１０は、自動的にスレーブモードで動作するよう構成してもよい。さらに、リモート表示デバイス９１０は、計測パーソナルエリアネットワーク９００が１以上の測定デバイス９３０を有し、寸法計測ユーザインターフェースデバイス９２０を有さないとき、自動的に独立モードで動作するよう構成してもよい。各種実装形態において、スレーブモードにおいて、リモート表示デバイスは、第１の表示フォーマットアレンジメントオプション一式に従って設定可能であってよい。独立モードにおいて、リモート表示デバイスは、第２の表示フォーマットアレンジメントオプション一式に従って設定可能であってよい。第１の表示フォーマットアレンジメントオプション一式は、第２の表示フォーマットアレンジメントオプション一式よりも、広範囲である。より具体的には、場合によっては、リモート表示デバイス９１０の能力には、制限がある場合がある。このため、寸法計測ユーザインターフェースデバイス９２０は、各表示フォーマットアレンジメントに適用する追加的な複数のオプションを提供可能としてもよい。各種の表示フォーマットアレンジメント例は、図１０乃至１３を参照して、後で詳述する。
【００４７】
当然ながら、場合によっては、使用時に測定デバイス９３０を見難い場合には、リモート表示デバイス９１０は、測定デバイス９３０から得た測定データを見るのに利用されることがある。例えば、物体の特定の寸法を測定するプロセスにおいては、測定デバイス９３０（例えば、ノギス）を利用するエリアが制限される（大きな物体の底面等）ことがある。この場合には、測定動作の最中に、（例えば、ノギスの）デバイスディスプレイを見ることが難しいことがある。リモート表示デバイスを見易い場所に配置して、測定デバイスから得たリアルタイムの測定値を表示することで、この問題に対処することができる。
【００４８】
各種実装形態において、リモート表示デバイス９１０は、各種設定モードに従って設定可能でよい。例えば、後で詳述するように、リモート表示デバイス９１０の設定に、デバイス選択モード、ディスプレイタイプモード、リモートビューモード、ディスプレイプロパティモード、複数設定モード及び／又はセキュリティモードを利用してもよい。各種実装形態において、デバイス選択モードは、マニュアルモード、アクティブモード、優先モード又は複製モード等の各種モードに従って動作してもよい。詳細は図１０Ａ乃至１０Ｃを参照して後述するが、マニュアルモードにおいて、一具体実装形態において、ユーザは、選択画面に表示された複数の測定デバイスのメニューを参照し、メニューから１以上の測定デバイスを選択することができるようにしてもよい。詳細は図１１を参照して後述するが、アクティブモードにおいて、１つの測定デバイスから得た複数の測定値がアクティブ（動的）に変化するのに基づいて、１以上の測定デバイスを表示してもよい（例えば、最近動きのあった測定デバイスから得たリアルタイムの測定値を表示する。あるいは、アクティブに測定データを更新し供給するリアルタイムの測定値を表示する）。図１１を参照して後で詳述するように、優先モードにおいて、１つの測定デバイスを、優先測定デバイスとして選択してもよい。優先測定デバイスのリアルタイムの測定値は、プライマリ表示エリアに表示される。場合によっては、優先モードは、他の各モード（例えば、アクティブモード。アクティブモードにおいて、セカンダリ表示エリアに、最近アクティブな測定デバイスが動的にされる）と組み合わせて利用してもよい。
【００４９】
当然ながら、典型的には、１以上の測定デバイス９３０は、独自のデバイスディスプレイを有し、リアルタイムの測定値を表示する。このようなリアルタイムの測定値は、リモート表示デバイス９１０の第１のディスプレイ９１２に表示されるリアルタイムの測定値に対応するものであってよい。場合によっては、リアルタイムの測定値は、特定の測定デバイス９３０のデバイスディスプレイを再現した表示フォーマットアレンジメントに応じて、第１のディスプレイ９１２に表示される。場合によっては、リアルタイムの測定値は、特定の測定デバイスのデバイスディスプレイと異なる表示フォーマットアレンジメントに応じて、第１のディスプレイ９１２に表示される（例えば、詳細は図１２を参照して後述する）。例えば、場合によっては、このような異なる各種の表示フォーマットアレンジメントは、合格／不合格値、計算値、グラフ値等を有してもよい。複製モードの一種において、リモート表示デバイス９１０は、寸法計測ユーザインターフェースデバイス９２０のユーザインターフェースディスプレイ９２２の少なくとも一部を複製してもよい（例えば、リアルタイムの測定値を有するように）。実装形態によって、リモート表示デバイス９１０は、ユーザインターフェースディスプレイ９２２の一部のみを複製したり、ユーザインターフェースディスプレイ９２２全体を複製するよう構成してもよい。
【００５０】
図１０Ａ乃至１０Ｃは、ユーザインターフェース１０１０Ａ乃至１０１０Ｃを示す図であり、マニュアル選択モードを示す。マニュアル選択モードにおいて、１以上の測定デバイスを、マニュアルで選択することができる。図１０Ａに示すように、ユーザインターフェース１０１０Ａが設けられてもよい。後で詳述するように、ユーザインターフェース１０１０Ａは、ユーザに各種選択動作を実行させることができる。各種実装形態において、ユーザインターフェース１０１０Ａは、リモート表示デバイス、寸法計測ユーザインターフェースデバイス又は計測パーソナルエリアネットワーク内の他のデバイスに設けられればよい。詳細は図１０Ｃを参照して後述するが、リモート表示デバイス９１０は、選択後、選択した各測定デバイスから得たリアルタイムの測定値を表示するよう構成される。
【００５１】
ユーザインターフェース１０１０Ａには、スクロール可能リスト１０１２が設けられる。スクロール可能リスト１０１２は、選択可能な複数の測定デバイスを有する。選択可能な複数の測定デバイスについて、リアルタイムの測定値を表示してもよい。アロー（矢印）バー１０１４は、スクロール可能リスト１０１２の範囲を示す。アローバー１０１４は、ユーザがスワイプ又は他の動き（例えば、指を使って）によりスクロール可能リスト１０１２を上下にスクロールするような、インタラクティブな特性を有してもよい。ユーザは、スクロール可能リスト１０１２から１つの測定デバイスを選択したいとき、選択動作１０１５（例えば、指を使って）を行い、選択した測定デバイスを、選択済リスト１０１６に移動すればよい。当然ながら、このようなプロセスを通して、複数の測定デバイスを選択するのに加えて、ユーザは、選択した複数の測定デバイスを選択済リスト１０１６内で所望の順序に並び替えることも出来る。各種実装形態において、ユーザは、スクロール可能リスト１０１２から、測定デバイスを１つだけ選択してもよいし、複数の測定デバイスを選択してもよいし、あるいは、利用可能な測定デバイスを全て選択してもよい。ユーザは、選択済リスト１０１６で複数の測定デバイスの選択及び／又は並べ替えを終えると、選択完了を示す「終了」ボタン１０１８を選択すればよい。図１０Ｂに示すように、ユーザインターフェース１０１０Ｂにおいて、選択済リスト１０２６が表示される。各種実装形態において、選択済リスト１０２６は、さらに別の構成とすることも出来る。例えば、選択した測定デバイスそれぞれについて、１以上の表示フォーマットアレンジメントをさらに選択してもよい（例えば、詳細は図１３を参照して後述する）。
【００５２】
図１０Ｃに示すように、ユーザインターフェース１０１０Ｃ（例えば、リモート表示デバイス９１０に設けられる）は、選択した複数の測定デバイスから得たリアルタイムの測定値のリスト１０３６を表示する。各種実装形態において、ユーザインターフェース１０１０Ｃ上で、選択した複数の測定デバイスを特定の表記としてもよい。例えば、図１０Ｃの具体例において、「データソース１」はユーザインターフェース１０１０Ａの選択済リスト１０１６が有する「デバイス３」に対応し、「データソース２」は同じく「デバイス１」に対応し、「データソース３」は同じく「デバイスＮ」に対応する。ユーザインターフェース１０１０Ｃに示すように、リアルタイムの測定値の表示フォーマットアレンジメントは、数値表示である。当然ながら、各種実装形態において、特定の表記（例えば、「データソース１」、「データソース２」、「データソース３」等）は、リモート表示デバイス９１０のビューワに用いられるリストの理解を平易にするために利用されればよい。別の実装形態において、元の「デバイス３」、「デバイス１」、「デバイスＮ」等の表記をそのまま用いてもよいし、加えて／あるいは、元の表記とユーザインターフェース１０１０Ｃ上の表示とを組み合わせて利用してもよい（例えば、「データソース１／デバイス３」）。各種実装形態において、別の種類の表記を代替的又は追加的に利用してもよい（例えば、「ノギス１」、「ダイヤルゲージ１」等）。これにより、表示中のリアルタイムの測定値のデータソースがどの測定デバイスなのか、ユーザがより理解しやすくなる。
【００５３】
図１１は、リモート表示デバイス９１０の設定可能表示フォーマットアレンジメント１１０５のユーザインターフェース１１００を示す図である。表示フォーマットアレンジメント１１０５は、第１の測定デバイス１１１２（例えば、「デバイスＸ」と示す）から得たリアルタイムの測定値を表示する第１のディスプレイエリア１１１０と、第２の測定デバイス１１２２（例えば、「デバイスＹ」と示す）から得たリアルタイムの測定値を表示する第２の表示エリア１１２０とを有する。一実装形態において、第１のディスプレイエリア１１１０は、優先モードに従って動作すればよい。優先モードでは、優先測定デバイス（例えば、デバイスＸ）が常に表示エリア１１１０に表示される。一方、第２の表示エリア１１２０には、自動的に選択（変更し得る）されたデバイス（例えば、現状では「デバイスＹ」）を表示すればよい。
【００５４】
図１１の具体例に示すように、表示エリア１１２０に表示する測定デバイスは、各種の要因に基づき選択し、変更すればよい。例えば、最近動きのあった測定デバイスはどれか、あるいは、アクティブに測定データを更新し供給する（例えば、最近測定に利用された）測定デバイスはどれか、に応じて、測定デバイスを選択すればよい。各種実装形態において、最近アクティブなデバイスが表示エリア１１１０に表示された優先デバイスと同じ場合、最近アクティブなデバイスを表示する表示エリア１１２０の表示を例外的とすればよい。その様な場合、表示エリア１１２０は、その次に最近アクティブなデバイスを表示すればよい。別の実装形態において、当然ながら、表示フォーマットアレンジメント１１０５は変更してよい（例えば、１つの測定デバイスだけ表示する、複数の測定デバイスを追加的に表示する、測定デバイスを表示する表示エリアを変更又は移動する等）。さらに別の各表示フォーマットアレンジメント及び対応する各変形例は、図１２を参照して後で詳述する。
【００５５】
図１２は、リモート表示デバイスの各種の表示フォーマットアレンジメント１２１０乃至１２８０を示す図である。図１２に示すように、表示フォーマットアレンジメント１２１０は、数値を表示する。数値の方向１２１０Ａ乃至１２１０Ｄの何れかをさらに選択してもよい。例えば、第１の方向１２１０Ａは、回転無し（０度回転）を示し、第２の方向１２１０Ｂは９０度回転を示し、第３の方向１２１０Ｃは１８０度回転を示し、第４の方向１２１０Ｄは２７０度回転を示す。各種実装形態において、方向の選択肢を追加的に設けてもよい。当然ながら、表示フォーマットアレンジメントの１以上のエレメントの方向を選択及び／又は調整することで、どのような表示フォーマットアレンジメントとしそれを見るかに関して、ユーザにとっての恣意性や自由度が益々向上する。
【００５６】
当然ながら、数値について異なる方向１２１０Ａ乃至１２１０Ｄを選択可能であると示したが、何れの他の種類の各表示フォーマットアレンジメント又は各エレメントについても同様に、複数の方向を選択可能としてよい。各種実装形態において、所定の入力に基づき、方向を自動的に選択すればよい。例えば、重力に反応するセンサ、あるいは、リモート表示デバイスの現在の方向を判断するセンサを利用して、表示フォーマットアレンジメントの適当な方向を判断すればよい。別の例として、測定デバイスの種類、ユーザの嗜好等に基づくメタデータを利用して、適当な方向を判断すればよい。加えて、分析により、方向の調整が必要ない表示フォーマットアレンジメントを選択するかどうかを判断してもよい（例えば、後で詳述するように、「ユニバーサルな（誰がどこから見ても理解可能な）方向」表示フォーマットアレンジメント１２５０）。
【００５７】
図示のように、表示フォーマットアレンジメント１２２０は、縁１２２２、測定数値１２２４、ビジュアルインジケータ１２２６（例えば、数値以外で測定特性を表記するインジケータ）及びビジュアルインジケータ１２２８を有する。ビジュアルインジケータ１２２６は、測定値スケール目盛り１２２６′を有する疑似アナログの公差測定値表示を有し、ターゲット値（目標値）に対する測定値（又は測定値の変化）に応じた有無を個別に切り替えてもよい。ビジュアルインジケータ１２２８は、「公差内」測定値に相当するカラーゾーン１２２８″（例えば、緑色のゾーン）及び「公差外」測定値に相当する複数のカラーゾーン１２２８′（例えば、複数の赤色のゾーン）を有する公差測定値表示を有する。各カラーゾーンは、ターゲット値に対する測定値（又は測定値の変化）に応じた色の有無を個別に切り替えてもよい。
【００５８】
表示フォーマットアレンジメント１２３０は、数字付の目盛りを有する円形のスケールと、スケール上の測定値を指す疑似アナログポインタとを有するビジュアルインジケータを示す。ビジュアルインジケータは、ターゲット測定値（例えば、ターゲット値は公知の方法により設定すればよい）からの偏差を表す測定数値を、さらに表示する。さらに、ビジュアルインジケータは、公差内／公差外表示（例えば、ビジュアルインジケータ１２２８のような）を中央に有する。図示のように、表示フォーマットアレンジメント１２４０は、疑似アナログポインタエレメントを有する目盛り付の円形のスケールを中央に有する。疑似アナログポインタエレメントは、「回転」して測定値を示す。別の実装形態において、他の公知のメータ（計測器）及び／又はゲージのように、小型の疑似アナログポインタエレメント及び対応する小型の目盛り付の円形のスケール又は他のエレメントを設け、疑似アナログポインタエレメントがフル回転（３６０度回転）した回数に応じて、測定値の桁の大きさを示してもよい。
【００５９】
表示フォーマットアレンジメント１２４５は、グラフィカルな表示及び数値表示の両方を有する（例えば、中央にパーセントを示す。円形のうちパーセントに対応する部分が、色付き又は強調表示される）。例えば、パーセント（例えば、２０％）は、ターゲット値に対する現在の測定値のパーセントを示せばよい。表示フォーマットアレンジメント１２５０は、アナログな「ターゲット」表示を有する。このターゲットにおいて、異なる複数のリングの強調表示又は色を異ならせることで、現在の測定値の、ターゲット値に対する近さを表示すればよい。上述のように、表示フォーマットアレンジメント１２５０は、「ユニバーサルな（誰がどこから見ても理解可能な）」方向であるので、特定分野へ応用するにあたり、特定の利益が有ると考えられる。即ち、ユーザは、リモート表示デバイスを見る場所や方向に拘わらず、測定値表示を適切に見て理解することができると考えられる。
【００６０】
表示フォーマットアレンジメント１２５５は、バーインジケータを有する。バーインジケータは、目盛り幅を強調表示又は異なる色で表示し、ターゲット値に対する現在の測定値を表示する。表示フォーマットアレンジメント１２６０は、「合格／不合格」表示に対応する複数のシンボルを示す。より具体的には、第１のエレメント１２６２（例えば、「親指を立てる」シンボル表示）を表示及び／又は強調表示（例えば、色を変えて）し、現在の測定値がターゲット値に対して「合格」と判断されるかを示せばよい。一方、第２のエレメント１２６４（例えば、「親指を下げる」シンボル表示）を表示及び／又は強調表示（例えば、色を変えて）し、ターゲット値に対して「不合格」と判断されることを示せばよい。表示フォーマットアレンジメント１２７０は、公差内／公差外表示（例えば、ビジュアルインジケータ１２２８と同様）及び合格／不合格表示（例えば、丸囲みのチェック印）を有するビジュアルインジケータを有する。ビジュアルインジケータは、リアルタイムの測定値を表示する数値と、ターゲット値からの偏差の公差の数値表示（例えば、１．０＋／−０．２０）とをさらに有する。
【００６１】
表示フォーマットアレンジメント１２８０は、統計的測定データの数値表示とともに、グラフィカルな表示を行う。一実装形態において、表示フォーマットアレンジメント１２８０は、１以上の測定デバイスから得た複数の測定値を、バーチャート又は他のグラフで表示してもよい（例えば、場合によっては、図１乃至７を参照して上述した各プロセスと類似する）。ディスプレイがタッチスクリーン型のディスプレイの場合、表示フォーマットアレンジメント１２８０は、「入力」及び「取消」の文字を付したタッチセンサ式の「ソフトウェア」制御ボタン表示をさらに有してもよい。
【００６２】
各種実装形態において、異なる複数の表示フォーマットアレンジメント（例えば、図１２の表示フォーマットアレンジメント１２１０乃至１２８０）を計測パーソナルエリアネットワークの複数のロケーションに記録し、記録されたロケーションから、表示フォーマットアレンジメントを読み出してもよい。例えば、特定の各表示フォーマットアレンジメントは、リモート表示デバイス内に記録してもよいし、寸法計測ユーザインターフェースデバイスにリモートで記録してもよいし、独立したデータベース等に記録してもよい。各種実装形態において、メニューストラクチャは、複数の利用可能な表示フォーマットアレンジメントを読み出すためのコマンドを発行し、複数の利用可能な表示フォーマットアレンジメントを表示して選択するようにしてもよい。表示フォーマットアレンジメントが読み出される及び／又は変更されると、ユーザは、表示フォーマットアレンジメントをどこに記録（例えば、リモート表示デバイス、寸法計測ユーザインターフェースデバイス、データベース等に記録）するか選択可能であってよい。各種実装形態において、所定のセキュリティ設定を利用し、複数の表示フォーマットアレンジメントを保存してもよい。例えば、高セキュリティモードでは、ユーザによる変更は一切認められない。中セキュリティモードでは、ユーザは、一部のプロパティを変更可能だが、表示項目は変更できない。低セキュリティモードでは、ユーザは、表示フォーマットアレンジメントやリモート表示デバイスの設定を完全に変更制御可能である。
【００６３】
各種実装形態において、ユーザは、リモート表示デバイスに対して選択動作をすることで、表示フォーマットアレンジメントの各プロパティを変更してもよい。加えて、各種実装形態において、ユーザは、寸法計測ユーザインターフェースデバイス又は何れか１つの測定デバイスに対して選択動作（例えば、スワイプ、タップ等）をしてもよい。例えば、ノギス等の測定デバイスにおいて、ノギスのスライダを入力デバイスとして利用し、サイズ、ポジション、スケーリング（拡大／縮小）等を制御することにより入力値を動的に変化させてもよい。表示フォーマットアレンジメントにおいて設定可能なプロパティとしては、サイズ、ポジション、色、タイプ（形式）、エフェクト（例えば、点滅）、フォント、スケーリング等がある。さらに別の例として、強調表示モードにおいては、強調表示すべきリアルタイムの測定値の表示を、各種の技術により変更してもよい。例えば、リアルタイムの測定値を、リモート表示デバイスのユーザインターフェースの最上位に移動した上で、フォント又はサイズを拡大し、色を変更し、点滅表示する等である。これら各プロパティは、自動プロパティ選択モードで選択してもよい。自動プロパティ選択モードでは、どのプロパティが自動的に選択され得るかに基づいて、測定データを分析する（例えば、リモート表示デバイス及び／又は寸法計測ユーザインターフェースデバイスにより分析する）。
【００６４】
当然ながら、図１２に示す各種の表示フォーマットアレンジメントは、例示的であり、限定的なものではでない（例えば、表示フォーマットアレンジメントの数は少なくても多くてもよい）。上述のように、リモート表示デバイスの表示フォーマットアレンジメントは、１以上の測定デバイスから得た測定データに対応するリアルタイムの測定値を表示するために選択されればよい。詳細は図１３を参照して後述するが、各種実装形態において、異なる測定デバイスそれぞれに対して、異なる表示フォーマットアレンジメントを選択してもよい。
【００６５】
図１３は、異なる複数の表示フォーマットアレンジメントを示すユーザインターフェース１３２２の図である。異なる複数の表示フォーマットアレンジメントは、計測パーソナルエリアネットワーク１３００内の異なる複数の測定デバイスに対して、それぞれ選択されたものである。各種実装形態において、ユーザインターフェース１３２２（又はその一部）は、リモート表示デバイス又は寸法計測ユーザインターフェースデバイスに含まれてもよい（例えば、図９のユーザインターフェースディスプレイ９２２と同様）。ユーザインターフェース１３２２に示すように、表示エリア１３２２−１、１３２２−２及び１３２２−３は、それぞれ、異なる複数の測定デバイス（例えば、それぞれ「デバイス１」、「デバイス２」及び「デバイス３」）のリアルタイムの測定値を有する。
【００６６】
図１３の具体例において、リアルタイムの測定値は、測定デバイス毎に選択された表示フォーマットアレンジメント１３２４−１、１３２４−２及び１３２４−３に表示される。より具体的には、「デバイス１」の表示フォーマットアレンジメント１３２４−１は、数値を有する（例えば、図１２の表示フォーマットアレンジメント１２１０Ａと同様）。「デバイス２」の表示フォーマットアレンジメント１３２４−２は、疑似アナログポインタエレメントを有する目盛り付の円形のスケールを中央に有する。疑似アナログポインタエレメントは、「回転」して測定値を示す。（例えば、図１２の表示フォーマットアレンジメント１２４０と同様）。「デバイス３」の表示フォーマットアレンジメント１３２４−３は、各種エレメントのコンビネーションを有する（例えば、図１２の表示フォーマットアレンジメント１２７０と同様）。ユーザインターフェース１３２２をサポートするユーザインターフェースデバイス１３２０は、通信リンク１３５０（例えば、無線リンク）を利用し、制御命令やリアルタイム測定データ等をリモート表示デバイス９１０に送信してもよい。リモート表示デバイス９１０は、さらに、通信リンク１３５０を利用し、ユーザインターフェースデバイス１３２０と通信（例えば、命令を認証する、ステータス又は他のリクエストに応答する、データを送信する等）すればよい。 
【００６７】
各種実装形態において、各測定デバイスについて表示フォーマットアレンジメントを選択すると、リモート表示デバイス９１０は、対応する１以上の測定デバイスのリアルタイムの測定値を表示すればよい。例えば、一実装形態において、リモート表示デバイス９１０は、「最近アクティブな」測定デバイスから得たリアルタイムの測定値を表示するよう設定してもよい。図１３の具体例では、リモート表示デバイス９１０は、「デバイス２」（例えば、「デバイス２」は、最近アクティブな測定デバイス、又は、最近選択した測定デバイスである）から得たリアルタイムの測定値を表示している。従って、リモート表示デバイス９１０には、「デバイス２」用に指定された表示フォーマットアレンジメント１３２４−２に従って、リアルタイムの測定値が表示される。同様に、「デバイス１」又は「デバイス３」が現在選択されている場合は、それぞれ、表示フォーマットアレンジメント１３２４−１又は１３２４−３に従って、リアルタイムの測定値がリモート表示デバイス９１０に表示される。各種実装形態において、２以上の測定デバイスから得たリアルタイムの測定値が、同時に表示される。一具体例で説明すると、場合によっては、「デバイス１」及び「デバイス３」用の表示フォーマットアレンジメント１３２４−１及び１３２４−３の両方が、同時に、リモート表示デバイス９１０に表示され得る。この点、図１０Ａ及び１１を参照して上述した設定と同様である。
【００６８】
図１２及び１３を参照し、当然ながら、各種実装形態において、特定の測定デバイスの表示フォーマットアレンジメントは、マニュアルで又は自動的に選択すればよい。より具体的には、マニュアルモードでは、ユーザは、各測定デバイスについて表示フォーマットアレンジメントを選択すればよい（例えば、図１２に示すような、各種表示フォーマットアレンジメントのメニューを利用して）。一実装形態において、ユーザは、マニュアル選択動作を行って（例えば、表示フォーマットアレンジメントをタップ又は長押しする）、指定の測定デバイスについて特定の表示フォーマットアレンジメントを選択すればよい。自動モードでは、特定の測定デバイスから得た測定データを分析し、測定デバイスにとって適当な表示フォーマットアレンジメントを判断すればよい。例えば、場合によっては、測定データがゆっくり変化する及び／又はほとんど変化しないときは、デジタル値又はアナログ値（例えば、アナログゲージ型ディスプレイのオートスケーリングを有する）の表示フォーマットアレンジメントを、過度なフリッカ（表示の点滅）の発生を防ぐために適切な解像度（レゾリューション）で表示するのが適当であると考えられる。一方、場合によっては、測定データが速く変化するときは、棒グラフや色変化表示等、アナログ的な動向表示特性をもつ表示フォーマットアレンジメントを表示するのが好ましい。その際、表示フォーマットアレンジメントは、その動向や他の適当な特性をモニタするのに適当な範囲及び／又は解像度で提供すればよい。一実装形態において、選択した測定デバイスのデバイスディスプレイを再現するように、少なくとも１つの表示フォーマットアレンジメントを、自動的に選択してもよい。
【００６９】
図１４は、リモート表示デバイスの動作を示すルーチン１４００の一実装例を示すフローチャートである。判断ブロック１４１０において、計測パーソナルエリアネットワーク内に寸法計測ユーザインターフェースデバイスが有るか否かを判断する。計測パーソナルエリアネットワーク内に寸法計測ユーザインターフェースデバイスが無いと判断すると、後で詳述するように、ルーチンはブロック１４４０に遷移する。計測パーソナルエリアネットワーク内に寸法計測ユーザインターフェースデバイスが有ると判断すると、ルーチンは判断ブロック１４２０に遷移する。判断ブロック１４２０において、リモート表示デバイスが第１のモードで動作するか否かを判断する。リモート表示デバイスが第１のモードで動作する場合、ルーチンはブロック１４３０に遷移する。ブロック１４３０において、リモート表示デバイスは第１のモードで動作する。第１のモードで動作する際、リモート表示デバイスは、寸法計測ユーザインターフェースデバイスから受信した制御命令に応答して、計測パーソナルエリアネットワーク内の利用可能な１以上の測定デバイスから得たリアルタイムの測定値を表示するよう構成される。
【００７０】
判断ブロック１４２０において、リモート表示デバイスが第１のモードで動作しないと判断すると、あるいは、判断ブロック１４１０において、計測パーソナルエリアネットワーク内に寸法計測ユーザインターフェースデバイスが無いと判断すると、ルーチンはブロック１４４０に遷移する。ブロック１４４０において、リモート表示デバイスは第２のモードで動作する。第２のモードの一部として、リモート表示デバイスは、計測パーソナルエリアネットワーク内の利用可能な１以上の測定デバイスから得たリアルタイムの測定値を表示するよう構成される。リモート表示デバイスは、寸法計測ユーザインターフェースデバイスから制御命令を受信することなく、リアルタイムの測定値を、第１のディスプレイに表示する。
【００７１】
上述の様々な各実施形態は、さらに別の実施形態と組み合わせることができる。本明細書に記載した全ての米国特許及び米国特許出願を参照することにより、本発明の一部を構成する。必要に応じて、各特許文献の構想を採用して本実施形態の各態様を変更することができる。これにより、さらに別の実施形態を提供することができる。
【００７２】
上記説明に照らして本実施形態を多様に変更することが可能である。一般に、特許請求の範囲において使用する語句は、特許請求の範囲を、明細書及び特許請求の範囲に開示される具体的な実施形態に限定するものであると解釈されるべきでない。むしろ、考え得る全ての実施形態に加えて、特許請求の範囲の均等物の全範囲をも有すると解釈されるべきである。
【００７３】
特許請求の範囲に、排他的権利又は所有権を請求する本発明の各形態が記載される。
【符号の説明】
【００７４】
１００…マルチモード寸法計測ユーザインターフェースデバイス
８００、９１０…リモート表示デバイス
８１５…メモリ部
８２０…制御部
８２５…表示部
８３０…ユーザインターフェース部
８４０…電源部
８４５…通信部
９００…計測パーソナルエリアネットワーク
９２０…寸法計測ユーザインターフェースデバイス
９３０…寸法計測測定デバイス
【図１】
2017151958.tif 000003
【図２】
2017151958.tif 000004
【図３】
2017151958.tif 000005
【図４】
2017151958.tif 000006
【図５】
2017151958.tif 000007
【図６】
2017151958.tif 000008
【図７】
2017151958.tif 000009
【図８】
2017151958.tif 000010
【図９】
2017151958.tif 000011
【図１０Ａ】
2017151958.tif 000012
【図１０Ｂ】
2017151958.tif 000013
【図１０Ｃ】
2017151958.tif 000014
【図１１】
2017151958.tif 000015
【図１２】
2017151958.tif 000016
【図１３】
2017151958.tif 000017
【図１４】
2017151958.tif 000018
【外国語明細書】
2017151958000001.pdf